(57)【要約】【課題】リブを軽量化しつつ、特定の周波数の音の大きさが調整された打球音を発生させること。【解決手段】リブ２００は、直径がｒ、高さがｈの円柱状の穴２１０を有する。穴２１０は、打球面１１０Ｓに沿った方向Ｈに延在し、ヘッドの内部空間に方向Ｈの両端にある開口部２１１、２１２において、内部空間１０１に開口している。ゴルフボールがフェース部１１０に衝突すると、ゴルフボールがフェース部１１０に衝突すると、ゴルフボールから受ける力によってフェース部１１０が振動し、この振動が伝達してリブ２００が振動する。このとき、穴２１０は、リブ２００と共に振動し、共鳴空間３００を満たしている内部の空気を振動させる。このように振動させられた空気は、音速ｃ及び高さｈの関数で表される周波数を一次モードの共振周波数として共鳴する。【選択図】図５
2013000500.tif 000002
【特許請求の範囲】
【請求項１】
フェース部、クラウン部及びソール部により内部に空間が形成され、打球時にゴルフボールが衝突して振動するヘッド本体と、
前記ヘッド本体の内面に設けられたリブとを備え、
前記リブは、前記空間に開口する穴を有し、
前記穴は、特定の周波数で音を共鳴させる
ことを特徴とするゴルフクラブヘッド。
【請求項２】
前記リブは、打球時にゴルフボールが衝突する前記フェース部に設けられている
ことを特徴とする請求項１に記載のゴルフクラブヘッド。
【請求項３】
前記穴は、前記フェース部において打球時にゴルフボールが衝突する打球面に沿った方向に延在し、かつ、前記方向の一端で前記空間に開口し、
前記フェース部の端部側は、前記リブが設けられている側に折り曲げられ、かつ、前記穴を前記一端から前記方向に延長させた領域と交わらないように切り欠いた形状となっている
ことを特徴とする請求項２に記載のゴルフクラブヘッド。
【請求項４】
前記穴は、前記ヘッド本体の固有振動数に対応した周波数で共鳴する
ことを特徴とする請求項１ないし３のいずれかに記載のゴルフクラブヘッド。
【請求項５】
前記穴の内部には、振動する空気の抵抗となる抵抗材が設けられている
ことを特徴とする請求項１ないし４のいずれかに記載のゴルフクラブヘッド。
【発明の詳細な説明】
【技術分野】
【０００１】
本発明は、内側にリブが設けられた中空のゴルフクラブヘッドに関する。
【背景技術】
【０００２】
従来より、中空のゴルフクラブヘッドの内側にリブを設けることが行われている。特許文献１には、ゴルフクラブヘッドの内側にリブを設けることで剛性を調整しつつ、所望の固有振動モードを備えさせることと、ゴルフクラブヘッドの肉薄化を達成しつつ剛性を向上させて、打球音を高くすることとが記載されている。また、特許文献２には、中空のゴルフクラブヘッドの内側に、衝撃による応力集中を緩和できるような形状のリブを設けることが記載されている。
【先行技術文献】
【特許文献】
【０００３】
【特許文献１】特開２００５−１４３５８９号公報
【特許文献２】実開平６−２３５５３号公報
【発明の概要】
【発明が解決しようとする課題】
【０００４】
ゴルフクラブヘッドの内側にリブが設けられると、その部分の断面二次モーメントが高まり剛性が補強される一方、ゴルフクラブヘッドの重心が、そのリブの重さによってそのリブが設けられた方に近くなる。そこで、ゴルフクラブヘッドの重心を調整するため別の箇所を重くすると、ゴルフクラブヘッドの重量を、プレイヤーが無理なくスイングするために許容される重量に納めることが難しくなる場合がある。このため、ゴルフクラブヘッドの重心を設計する際の自由度を高めるためには、設計上必要とされる断面二次モーメントをより軽量なリブで確保することが望まれている。また、ゴルフクラブヘッドは、ゴルフボールを打ったときに、プレイヤーが好むとされる打球音が生じるものであることが望まれている。
本発明は、このような事情に鑑みてなされたもので、その目的の１つは、リブを軽量化しつつ、特定の周波数の音の大きさが調整された打球音を発生させることである。
【課題を解決するための手段】
【０００５】
上記課題を解決するため、本発明は、フェース部、クラウン部及びソール部により内部に空間が形成され、打球時にゴルフボールが衝突して振動するヘッド本体と、前記ヘッド本体の内面に設けられたリブとを備え、前記リブは、前記空間に開口する穴を有し、前記穴は、特定の周波数で音を共鳴させることを特徴とするゴルフクラブヘッドを提供する。
【０００６】
好ましい態様において、前記リブは、打球時にゴルフボールが衝突する前記フェース部に設けられていてもよい。
他の好ましい態様において、前記穴は、前記フェース部において打球時にゴルフボールが衝突する打球面に沿った方向に延在し、かつ、前記方向の一端で前記空間に開口し、前記フェース部の端部側は、前記リブが設けられている側に折り曲げられ、かつ、前記穴を前記一端から前記方向に延長させた領域と交わらないように切り欠いた形状となっていてもよい。
他の好ましい態様において、前記穴は、前記ヘッド本体の固有振動数に対応した周波数で共鳴してもよい。
他の好ましい態様において、前記穴の内部には、振動する空気の抵抗となる抵抗材が設けられていてもよい。
【発明の効果】
【０００７】
本発明によれば、本体の内部に開口する穴を有しないリブが設けられている場合に比べて、リブを軽量化しつつ、特定の周波数の音の大きさが調整された打球音を発生させることができる。
【図面の簡単な説明】
【０００８】
【図１】実施形態に係るゴルフクラブの外観を示す図である。
【図２】フェース部側から見たヘッドを示す図である。
【図３】接合されたフェース部、クラウン部及びソール部の断面を示す図である。
【図４】接合前のフェース部、クラウン部及びソール部の断面を示す図である。
【図５】フェース部の断面を拡大して示す図である。
【図６】共鳴空間において打球により音圧が高まった領域を示す図である。
【図７】クラウン部側から見た縁部を示す図である。
【図８】内部空間側から見たフェース部を示す図である。
【図９】穴の有無による打球音の音高の変化について説明するための図である。
【図１０】変形例に係るフェース部の断面を示す図である。
【図１１】変形例に係るクラウン部を示す図である。
【図１２】変形例に係るフェース部を示す図である。
【図１３】変形例に係るリブを示す図である。
【図１４】変形例に係るリブを示す図である。
【図１５】変形例に係るリブを示す図である。
【発明を実施するための形態】
【０００９】
［実施形態］
以下、本発明の実施形態について図面を参照して説明する。
図１は、実施形態に係るゴルフクラブ１の外観を示す図である。ゴルフクラブ１は、ヘッド１０とシャフト２０とグリップ３０とを有する。シャフト２０の一端には、ヘッド１０が取り付けられ、他端には、グリップ３０が取り付けられている。ヘッド１０は、打球時にゴルフボールが衝突する部分であるフェース部１１０を備えている。グリップ３０を握った（グリップした）プレイヤーによってゴルフクラブ１が振られ（スイングされ）、フェース部１１０がゴルフボールと衝突すると、ヘッド１０を中心とするゴルフクラブ１の運動エネルギーがフェース部１１０を介してゴルフボールに伝わり、それによってゴルフボールが飛んでいく。続いて、ヘッド１０の構造について、図２、３、４を参照しながら説明する。
【００１０】
図２は、ヘッド１０をフェース部１１０側から見た図である。図２では、ヘッド１０を、プレイヤーがゴルフクラブ１をグリップして構えた（アドレスした）ときの向きとなるように示している。ヘッド１０は、上述したフェース部１１０と、クラウン部１２０と、ソール部１３０とを備えている。フェース部１１０は、アドレス時に地面側となる方にソール部１３０が接合されており、空側となる方にクラウン部１２０が接合されている。クラウン部１２０には、シャフト２０を差し込んで固定するためのホーゼル２０１が設けられている。
【００１１】
図３、４は、図２においてフェース部１１０の水平方向の中央を通る切断線ＩＩＩ−ＩＩＩにおけるフェース部１１０、クラウン部１２０及びソール部１３０の断面を示す図である。図３では、フェース部１１０、クラウン部１２０及びソール部１３０が互いに接合された状態を示している。これらの各部は、互いに対向する端部の面が溶接により接合されて、ヘッド１０のヘッド本体１００を形成している。ヘッド本体１００は、内部が中空の空間となっており、以下では、この空間を内部空間１０１という。つまり、ヘッド本体１００は、フェース部１１０、クラウン部１２０及びソール部１３０を有し、これらフェース部１１０、クラウン部１２０及びソール部１３０によって内部に内部空間１０１が形成されている。内部空間１０１は、本発明に係る「空間」の一例に相当する。図４では、フェース部１１０、クラウン部１２０及びソール部１３０が互いに接合される前の状態を示している。これらの各部は、いずれもチタンを材料に用いて、鍛造法により板状に形成されている。これらの各部では、互いに接合されて図３に示す状態になると、内部空間１０１側の面である内面１１０Ｒ、１２０Ｒ、１３０Ｒに対して加工することができなくなるため、図４に示す接合前の状態で各内面に加工を施す。具体的な加工の例については、後述する。
【００１２】
ヘッド１０は、上述のとおり、打球時にゴルフボールが衝突する部分である。このとき、ヘッド１０には、ゴルフボールに作用する運動エネルギーの反作用に当たる力がゴルフボールから加えられる。このため、この力が加わっても破損することがないような強度及び耐久力を備えていることが求められる。これは、特に、打球時にゴルフボールが衝突する部分であるヘッド本体１００のフェース部１１０において求められる。フェース部１１０は、打球時にゴルフボールが衝突する面である打球面１１０Ｓの裏側、すなわち、内部空間１０１側（内側）の面である内面１１０Ｒに、上記強度及び耐久力を備えさせることを目的の１つとして、リブ２００が設けられている。次に、フェース部１１０及びリブ２００の構造について、図５から図８までを参照しながら説明する。
【００１３】
図５は、図４のフェース部１１０の断面を拡大して示す図である。リブ２００は、内部に穴２１０を有する。穴２１０は、打球面１１０Ｓに沿った方向Ｈに延在し、方向Ｈの両端にある開口部２１１、２１２において、内部空間１０１に開口している。穴２１０は、直径がｒ、高さがｈの円柱状の形状をしている。つまり、穴２１０は、開口部２１１から開口部２１２まで、方向Ｈに長さｈだけ延在している。穴２１０の内部には、円柱状の共鳴空間３００が形成されている。共鳴空間３００は、内部空間１０１の一部であり、開口部２１１、２１２を境にして外部と繋がっている。ここでいう外部とは、内部空間１０１のうち、共鳴空間３００を除いた空間のことである。共鳴空間３００は、穴２１０内に存在する空気によって満たされている。この空気は、穴２１０によって円柱状の気柱を形成しており、打球時に穴２１０に生じる振動によって共鳴する。詳細には、ゴルフボールがフェース部１１０に衝突すると、ゴルフボールから受ける力によってフェース部１１０が振動し、この振動が伝達してリブ２００が振動する。このとき、穴２１０は、リブ２００と共に振動し、共鳴空間３００を満たしている気柱を振動させる。穴２１０により振動させられた気柱は、音速をｃとした場合に、式（１）に示す周波数ｆ１を一次モードの共振周波数として共鳴する。
【００１４】
【数１】
2013000500.tif 000003
このように、穴２１０は、共鳴空間３００を満たしている気柱を振動させることで、周波数ｆ１の倍数で音を共鳴させる。以下では、この音を「共鳴音」という。気温が一定の状況であれば、式（１）で示されるとおり、共振周波数、すなわち共鳴音の音高は、穴２１０の高さｈに比例する。本実施形態においては、ｈは５０ｍｍである。例えば音速が３４５ｍ／ｓｅｃとなる状況であれば、周波数ｆ１は約３４５０Ｈｚとなる。
【００１５】
図６は、穴２１０ｗを有するリブ２００ｗが設けられたフェース部１１０ｗの打球面１１０Ｓの中心部Ｃ１にゴルフボールを衝突させたときに測定された、特定の周波数の音圧が高い領域を示す図である。穴２１０ｗは、共鳴空間３００ｗを形成している。図６（ａ）では、共鳴空間３００ｗにおいて、周波数が３６８０Ｈｚの音圧が高い箇所を格子状に塗りつぶした領域Ｄ１で示しており、図６（ｂ）では、共鳴空間３００ｗにおいて、周波数が７６７０Ｈｚの音圧が高い箇所を格子状に塗りつぶした領域Ｄ２で示している。これらの図に示すように、ゴルフボールがフェース部１１０ｗに衝突することにより、穴２１０ｗ内の共鳴空間３００ｗを満たす空気が３６８０Ｈｚ付近を一次モードの周波数として共鳴している状態と、その倍の７６７０Ｈｚ付近を二次モードの周波数として共鳴している状態が測定された。このように、倍音の成分が発生することで、プレイヤーが感じる打球音に深みが与えられる。
【００１６】
図５に戻る。リブ２００は、フェース部１１０に設けられているため、例えばクラウン部１２０又はソール部１３０に設けられる場合に比べて、中心部Ｃ１と穴２１０とが近い位置となる。このため、これらの場合に比べて、ゴルフボールから加えられる力が穴２１０内の空気を振動させる力に効率よく使われる。また、図６に示すように、一次モードの周波数の音だけではなく、その倍音である二次モードの周波数の音も生じているため、音に深みを与えることができる。
【００１７】
フェース部１１０は、上記のとおり鍛造法によって形成される。その際、フェース部１１０は、穴２１０を有していないリブ２００が設けられた形状で形成される。このリブ２００は、棒状の形状をしており、長さ方向をアドレス時の鉛直方向に向けてフェース部１１０に設けられている。この長さ方向は、方向Ｈと同じ方向である。穴２１０は、フェース部１１０及びリブ２００が形成された後に、リブ２００を切削加工することによって形成される。また、フェース部１１０は、図５に示すように、端部側が、リブ２００が設けられている側に折り曲げられた形状となっている。図５では、フェース部１１０のうち、この折り曲げられた端部側の部分を縁部１１１として示している。この縁部１１１は、リブ２００への切削加工がしやすいような形状となっている。
【００１８】
図７は、クラウン部１２０側から見た縁部１１１を示す図である。縁部１１１は、穴２１０を開口部２１１から図５に示す方向Ｈに延長させた領域Jと交わらないように切り欠いた形状となっている。開口部２１１は、本発明に係る「一端」の一例に相当する。図７では、この切り欠いた形状となっている部分を切り欠き部１１２で示している。図７に示すように、リブ２００をクラウン部１２０側から見ると、縁部１１１に邪魔されることなく、切り欠き部１１２を通して穴２１０を見ることができる。
図８は、内部空間１０１側から見たフェース部１１０を示す図である。図８に示すように、切り欠き部１１２は、穴２１０を開口部２１１から方向Ｈに延長させた領域が延在する位置に設けられている。以上の構成により、リブ２００を切削加工する際、切削用のドリルを、切り欠き部１１２を通すことで縁部１１１に邪魔されることなく、方向Ｈに沿ってリブ２００に当てることができる。このため、リブ２００に対して、切削加工を容易に行うことができる。
【００１９】
リブ２００は、円柱状の穴２１０を有していることによって、方向Ｈの寸法が同じで穴２１０を有していないリブ（以下、穴なしリブという。）であって、同じ質量である穴なしリブよりも、断面二次モーメントが大きくなっている。言い換えると、リブ２００は、断面二次モーメントが同じ穴なしリブと比べれば、質量が小さくなる。また、ゴルフクラブのヘッドは、打球時に固有振動数で振動する。この固有振動数をｆ２、ヘッドの質量をｍ、ヘッドの剛性を表す剛性項をＫとすると、ｆ２は次の式（２）で表される。
【００２０】
【数２】
2013000500.tif 000004
ヘッドの固有振動数を特定の振動数（例えば得たい固有振動数）とする場合、式（２）に表されるように、リブ２００を設けたヘッド１０では、リブ２００と質量が同じ穴なしリブを設けたヘッドに比べて剛性項Ｋが大きくなるので、質量ｍを減らすことができる。また、この減らした質量の分の部材をヘッド１０に配置することで、穴なしリブが設けられたヘッドと同じ質量でも、重心の位置を異ならせることができる。つまり、ヘッド１０では、いわゆる重量配分の設計の自由度を向上させることができる。
【００２１】
また、設けるリブの質量を同じにした場合は、穴を有するリブを設けたヘッドは、このリブと方向Ｈの寸法が同じ穴なしリブを設けたヘッドに比べて、式（２）に表されるように、固有振動数が大きくなる。
図９は、穴の有無による打球音の音高の変化について説明するための図である。図９（ａ）では、穴を有していないリブ２００ｘが設けられているフェース部１１０ｘが示され、図９（ｂ）では、穴２１０ｙを有しているリブ２００ｙが設けられているフェース部１１０ｙが示されている。フェース部１１０ｘと１１０ｙとは、質量が互いに同じになるように形成されている。リブ２００ｘは、フェース部１１０ｘの内部空間１０１側にある内面１１０Ｒｘからの高さが５ｍｍである。このフェース部１１０ｘの打球面１１０Ｓｘの中心部Ｃｘにゴルフボールを衝突させたときに生じる音を、フェース部１１０ｘから５０ｍｍ離れた位置に設置したマイクロフォンで測定したところ、最も低い周波数のピークが６８００Ｈｚ付近で測定された。
【００２２】
これに対し、フェース部１１０ｙの内部空間１０１側にある内面１１０Ｒｙからの高さが８ｍｍであり、直径６ｍｍの穴２１０ｙを有しているリブ２００ｙを設けたフェース部１１０ｙを用いて、フェース部１１０ｙの打球面１１０Ｓｙの中心部Ｃｙにゴルフボールを衝突させて同様の測定を行った。その結果、一次モードの周波数が７０００Ｈｚ程度となった。つまり、リブ２００ｙが設けられたフェース部１１０ｙでは、リブ２００ｘが設けられたフェース部１１０ｘに比べて、打球音の音高を２００Ｈｚ高くすることができた。
【００２３】
以上のとおり、リブ２００は、断面二次モーメントが同じとなるように形成された穴なしリブに比べると、軽量化させることができ、質量が同じとなるように形成された穴なしリブに比べると、断面二次モーメントを大きくすることができる。また、ヘッド１０では、リブ２００が設けられていることで、穴なしリブが設けられているヘッドに比べて、ヘッドの重量の軽量化又は重量配分の設計の自由度を向上させることができる。また、ヘッド１０では、穴なしリブを設けたヘッドが発生する打球音に比べて特定の周波数の音が調整された打球音を発生させることができる。
【００２４】
［変形例］
上述した実施形態は、本発明の実施の一例に過ぎず、次のように種々の応用・変形が可能であり、また、必要に応じて組み合わせることも可能である。
【００２５】
（変形例１）
リブ２００は、上述した実施形態では、２つの開口部２１１、２１２で内部空間１０１に開口する穴２１０を有していたが、リブが有する穴は、１つの開口部で内部空間１０１に開口するものであってもよいし、３つ以上の開口部で内部空間１０１に開口するものであってもよい。要するに、リブが有する穴は、内部空間１０１に一部が開口するものであればよい。
図１０は、本変形例に係るフェース部の断面を示す図である。図１０（ａ）では、１つの開口部２１１ａで内部空間１０１に開口する穴２１０ａを有しているリブ２００ａが示されている。穴２１０ａは、円柱状の穴であり、円柱の方向Ｈの長さ、すなわち開口部２１１ａからの深さがｈａである。この場合、リブ２００ａが設けられたフェース部１１０ａが打球により振動すると、穴２１０ａ内に存在する空気が式（３）で示される周波数ｆ１ａを一次モードの共振周波数として共鳴する。
【００２６】
【数３】
2013000500.tif 000005
例えば、ｈａを２０ｍｍとしてフェース部１１０ａを形成した場合、音速が３４５ｍ／ｓｅｃとなる状況であれば、周波数ｆ１ａは約４３１０Ｈｚとなる。このように、リブが有している穴が片側が開口している（開口部が１つである）場合、両側が開口している（開口部が２つである）場合に比べて、方向Ｈの長さがより短い穴で、その穴内の空気を同じ一次モードの共振周波数で共鳴させることができる。言い換えれば、穴の方向Ｈの長さが同じであれば、両側が開口している穴を有するリブよりも、片側が開口している穴を有するリブの方が、音高が高い音を出すことができる。
【００２７】
図１０（ｂ）では、３つの開口部２１１ｂ、２１２ｂ、２１３ｂで内部空間１０１に開口する穴２１０ｂを有しているリブ２００ｂが示されている。この場合、リブ２００ｂが設けられたフェース部１１０ｂが打球により振動すると、穴２１０ｂに存在する空気が開口部２１３ｂを腹又は節として振動して共鳴音が発生する。穴２１０ｂにおいて、開口部２１３ｂに代えてこれよりも開口部２１１ｂ側又は開口部２１２ｂ側に３つ目の開口部を設けると、共鳴音の音高を変化させることができる。
【００２８】
（変形例２）
上述した実施形態では、ヘッド本体１００のフェース部１１０にリブ２００を設けたが、穴を有するリブを設ける場所は、フェース部に限らず、ヘッド本体１００の内側であれば、クラウン部又はソール部であってもよい。また、設けるリブの個数も、１つに限らず、複数であってもよい。要するに、リブは、特定の周波数で音を共鳴させる穴を有するものであればよい。
図１１は、本変形例に係るクラウン部１２０ｃを示す図である。クラウン部１２０ｃの内部空間１０１側の内面２１０Ｒｃには、穴２１０ｃを有しているリブ２００ｃが２つ設けられている。これらのリブ２００ｃには、フェース部１１０が打球により振動すると、フェース部１１０及びクラウン部１２０ｃが接合された部分とクラウン部１２０ｃとを経由してこの振動が伝わる。そして、リブ２００ｃが振動し、穴２１０ｃ内にある空気が振動されて共鳴する。要するに、打球時にゴルフボールがフェース部１１０に衝突すると、ヘッド本体１００の全体が振動するので、リブ２００は、ヘッド本体１００の内面のどこに設けてもよい。
本変形例に係るリブ２００ｃの場合、穴２１０ｃにおいて発生した音は、クラウン部１２０ｃを介してプレイヤーの頭部がある方向に発せられる。これにより、リブ２００ｃにおいては、フェース部１１０又はソール部１３０に設けられるリブに比べて、共鳴音の大きさが同じであれば、より大きい共鳴音をプレイヤーに伝達することができる。
【００２９】
（変形例３）
上述した実施形態では、穴２１０で発生した空気の振動は、共鳴音の発生に用いられるものとして説明したが、内部空間１０１で発生した空気の振動を打ち消す場合もある。この場合、フェース部１１０に設けられたリブ２００は、ヘッド１０において発生する音を小さくすることができる。また、穴２１０で発生した共鳴音によって、内部空間１０１の空気の振動によって発生した音をマスキングすることで、ヘッド１０から発生する音を目立たなくしてもよい。
【００３０】
（変形例４）
上述した実施形態では、鍛造法によって形成したフェース部１１０のリブ２００を切削して穴２１０を形成したが、これに限らず、フェース部１１０を鋳造法で形成してもよいし、リブのないフェース部を形成し、これに穴を有するリブを溶接してもよい。
図１２は、本変形例に係るフェース部１１０ｄを示す図である。フェース部１１０ｄの内部空間１０１側にある内面１１０Ｒｄには、穴２１０ｄを有し、この穴２１０ｄによって穴２１０ｄを有するリブ２００ｄが溶接されて設けられている。また、フェース部１１０ｄの縁部１１１ｄは、フェース部１１０における切り取り部１１２のように一部を切り取った形状となっていない。フェース部１１０ｄにおいては、リブ２００ｄを切削して穴２１０ｄを形成してから内面１１０Ｒｄに溶接すればよいため、リブの切削加工においてドリルを通すための空間を考慮することなく縁部１１１ｄを設計することができる。また、この場合、リブ２００ｄは、フェース部１１０の材料であるチタンよりも、振動が減衰しにくいチタン合金を材料として形成されていてもよい。これにより、リブ２００ｄの材料にチタンを用いるよりも、共鳴音の残響効果を向上させることができる。
【００３１】
（変形例５）
上述した実施形態では、穴２１０は、リブ２００をドリルで切削して形成されるため、開口部２１１（又は２１２）から内部までが直線的につながっている形状のものであったが、これに限らず、例えば、円柱状の穴であって、円柱の高さ方向の途中で分岐した空間が内部空間１０１に開口する形状の穴であってもよい。
図１３は、本変形例に係るリブ２００ｅを示す図である。図１３では、内部空間１０１側から見たリブ２００ｅを示している。リブ２００ｅは、１つの開口部２１１ｅを有する円柱状の穴２１０ｅを有している。穴２１０ｅは、円柱の高さ方向の両端が内部空間１０１に開口しておらず、円柱状の曲面の途中で分岐して形成された空間が内部空間１０１に開口する開口部２１１ｅにつながっている。
【００３２】
（変形例６）
上述した実施形態では、フェース部１１０には、棒状のリブ２００がアドレス時の鉛直方向に向けて設けられていたが、リブ２００が水平方向に向けて設けられていてもよいし、リブ２００とは異なる形状のリブが設けられていてもよい。また、上述した実施形態では、リブ２００は１つの穴２１０によって１つの穴２１０を有していたが、１つのリブが有する穴の個数及び形状はこれに限らない。
図１４は、本変形例に係るリブを示す図である。図１４では、内部空間１０１側から見たリブを示しており、いずれも、「Ｘ」の形状をしたリブを示している。図１４（ａ）では、「Ｘ」の形状の４つの棒状の部分に、片側が開口した４つの穴２１０ｆをそれぞれ有するリブ２００ｆを示している。図１４（ｂ）では、図１４（ａ）の各穴２１０ｆを連結させて「Ｘ」の形状とした穴２１０ｇを有するリブ２００ｇを示している。要するに、ヘッド本体１００の内側に設けられるリブは、フェース部（クラウン部、ソール部でもよい）の耐久力を向上させ、又はスイートスポットを広くする等の、それぞれの目的に応じた形状で設けられればよい。また、この穴は、得たい共振周波数で共鳴するものであれば、どのような形状で何個形成されていてもよい。これにより、打球時にヘッドから生じる音である打球音を、得たい音高（周波数）の共鳴音を付加した音とし、一次モードの音とその倍音を付加することで音の深みを出させ、又は低減させたい音高（周波数）の音を目立たなくさせることができる。
【００３３】
（変形例７）
上述した実施形態では、穴２１０内には、空気が存在するだけであったが、ここにグラスウールなどの振動する空気の抵抗となる抵抗材を設けてもよい。
図１５は、本変形例に係るリブ２００を示す図である。穴２１０には、グラスウール２２０が設けられている。この場合、穴２１０内の空気が共振周波数で振動する際に生じる音圧がグラスウール２２０の抵抗によって変化し、発生する共鳴音の大きさが変化する。なお、抵抗材は、グラスウールには限らない。また、抵抗材は、図１５に示すグラスウール２２０のように、穴２１０の全体に設けなくともよく、開口部側などの一部だけに設けてもよいし、反対に、穴２１０に隙間無く全体を満たすように設けてもよい。リブ２００においては、穴２１０に設ける抵抗材の材質、位置又は量を変化させることで、共鳴音の大きさを様々に変化させることができる。なお、リブが内部に有する穴に抵抗材を設ける代わりに、リブ自体を、内部に多孔質の穴を有する形状となるように形成してもよい。この場合であっても、リブが有する穴は、内部空間１０１に開口し、特定の周波数で音を共鳴させるものであればよい。
【００３４】
（変形例８）
リブ２００は、ヘッド本体１００の固有振動数に対応する周波数で穴２１０内の空気を振動させ、この空気を共鳴させるものであってもよい。また、穴２１０が共鳴する音の周波数は、固有振動数の整数倍であってもよい。例えば、穴２１０は、上記式（１）の周波数ｆ１をヘッド本体１００の固有振動数とした場合に算出されるｈを高さとし、両端が内部空間１０１に開口するものである。この場合、リブ２００も方向Ｈの長さがｈとなるように形成する。又は、穴２１０は、上記式（３）の周波数ｆ１ａをフェース部１１０の固有振動数とした場合に算出されるｈを高さとし、片側が内部空間１０１に開口するものである。ヘッド本体１００は、打球時に、その固有振動数においてはそれ以外の振動数に比べてより強く振動する。このため、本変形例に係る構成によれば、ヘッド本体１００の固有振動数と共振周波数とが異なる場合に比べて、打球によりゴルフボールからヘッド本体１００に伝えられる力をより効率よく共鳴音のエネルギーに転換することができる。なお、穴２１０が共鳴する音の周波数は、厳密にヘッド本体１００の固有振動数と同じでなくともよい。要するに、穴２１０が共鳴する音の周波数は、固有振動数で振動するヘッド本体１００の運動エネルギーを、効率よく共鳴音のエネルギーに転換できる程度に、その固有振動数に対応した周波数であればよい。
【００３５】
（変形例９）
上述した実施形態では、リブ２００が設けられていたのは、ゴルフクラブヘッドの中でも、いわゆるドライバーとして用いられるヘッド１０であったが、これに限らず、中空のヘッド本体を備える物であれば、フェアウェイウッド（フェアウェイメタル）又はアイアンであってもよい。また、リブ２００のように共鳴空間を形成する穴を有するリブは、ゴルフクラブヘッドに限らず、例えば、金属バットなど中空の本体を備えてボールなどを衝突させて用いるものであれば、他の道具に設けられてもよい。この場合であっても、このリブが設けられた道具は、その道具とボールなどが衝突した場合に、特定の周波数の音の大きさが調整された音を発生させることができる。
【符号の説明】
【００３６】
１…ゴルフクラブ、１０…ヘッド、２０…シャフト、３０…グリップ、１００…ヘッド本体、１０１…内部空間、１１０…フェース部、１１０Ｓ…打球面、１１０Ｒ…内面、１１１…縁部、１１２…切り取り部、１２０…クラウン部、１３０…ソール部、２００…リブ、２１０…穴、２１１、２１２、２１３…開口部、２２０…グラスウール、３００…共鳴空間
【図１】
2013000500.tif 000006
【図２】
2013000500.tif 000007
【図３】
2013000500.tif 000008
【図４】
2013000500.tif 000009
【図５】
2013000500.tif 000010
【図６】
2013000500.tif 000011
【図７】
2013000500.tif 000012
【図８】
2013000500.tif 000013
【図９】
2013000500.tif 000014
【図１０】
2013000500.tif 000015
【図１１】
2013000500.tif 000016
【図１２】
2013000500.tif 000017
【図１３】
2013000500.tif 000018
【図１４】
2013000500.tif 000019
【図１５】
2013000500.tif 000020